(57)【特許請求の範囲】
【請求項１】
フロントキャビネットとリアキャビネットで囲まれる内部空間に液晶表示モジュールを内蔵した表示装置であって、液晶表示モジュールの端縁部を背後から押える固定用板金に鉤形係合片を設ける一方、この鉤形係合片が係合する被係合片をフロントキャビネットの裏側に設け、鉤形係合片をフロントキャビネットの裏面と被係合片との空隙部にスライドさせて挿入することにより、鉤形係合片を被係合片に係合させて、フロントキャビネットを固定用板金を介して液晶表示モジュールに固定したことを特徴とする表示装置。 
【請求項２】
固定用板金の鉤形係合片の略直角に屈曲する屈曲端部を、フロントキャビネットの裏面と被係合片との空隙部にスライドさせて挿入することにより、鉤形係合片を被係合片に係合させたことを特徴とする請求項１に記載の表示装置。 
【請求項３】
フロントキャビネットの被係合片の先端に、後方に突き出す突片を形成したことを特徴とする、請求項１又は請求項２に記載の表示装置。
【発明の詳細な説明】
【技術分野】
【０００１】
本発明は、フロントキャビネットとリアキャビネットで囲まれる内部空間に液晶表示モジュールが内蔵された液晶テレビや、パソコンのディスプレイなどの表示装置に関し、更に詳しくは、フロントキャビネットとリアキャビネットの接合部が開かないように改良した液晶テレビなどの表示装置に関する。
【背景技術】
【０００２】
フロントキャビネットとリアキャビネットで囲まれる内部空間に液晶モジュールを内蔵した従来の液晶テレビ等は、内部空間に余裕があるため、フロントキャビネットとリアキャビネットをビスで共締め固定し、フロントキャビネットとリアキャビネットの接合箇所が開かないようにしていた。
【０００３】
しかしながら、近年の液晶テレビ等は、フロントキャビネットの額縁部分の幅を狭小化して意匠性を高める傾向にあるため、内部空間に余裕がなくなり、額縁部分の内側の必要な箇所にボスなどを設けてビスで共締め固定し辛くなってきたことから、フロントキャビネットとリアキャビネットをフック部で接合したものも見られるようになってきた。けれども、フック部で接合する場合は、フロントキャビネットやリアキャビネットの寸法にバラツキがあると、隙間なく確実に接合することが難しく、フロントキャビネットとリアキャビネットの接合部が開いて品位が低下するという問題があった。
【０００４】
一方、ベース板の左右両側端に一対のインバータ基板を配設し、これらの基板を一対の樹脂よりなる保護カバーで覆った液晶表示モジュールが知られている（特許文献１）。
【０００５】
また、四隅以外の辺におけるフロントキャビネットとリアキャビネットの密閉性を高めるために、表示パネルとフロントキャビネットを固定する断面コ字形の固定部材を使用し、この固定部材に表示パネルの端辺を嵌合すると共に、リアキャビネットを固定部材にネジ止めしてフロントキャビネットの背面側に固定した薄型表示装置も知られている（特許文献２）。
【０００６】
そして、液晶板の背面側に設けた内側補強金具の上下の折曲部を、樹脂パネルの上下のリブに圧接させて樹脂パネルに嵌め込んだ表示装置も知られている（特許文献３）。
【０００７】
更に、リアキャビネットの上面に突設された嵌合基部に嵌合孔を形成し、フロントキャビネットの上面の内側に嵌合爪を形成して、この嵌合爪を嵌合孔に嵌合させることにより、ネジ締めをなくしてフロントキャビネットとリアキャビネットの上面同士を接合できるようにした薄型表示装置も知られている（特許文献４）。
【０００８】
また、前面カバーに設けたフックを、内部シャーシの側面に設けた突起に掛止して、前面カバーと内部シャーシを固定した表示装置も知られている（特許文献５）。
【先行技術文献】
【特許文献】
【０００９】
【特許文献１】特開２００９−２４４８４５号公報
【特許文献２】特開２００９−１７１５２０号公報
【特許文献３】特開２００９−１６８８７０号公報
【特許文献４】特開２００８−２５８７５０号公報
【特許文献５】特開２００６−１６２９８５号公報
【発明の概要】
【発明が解決しようとする課題】
【００１０】
フロントキャビネットとリアキャビネットをフック部で接合した従来の液晶テレビ等は、前述したように、フロントキャビネットやリアキャビネットの寸法にバラツキがあると、隙間なく確実に接合することが難しく、フロントキャビネットとリアキャビネットの接合箇所が開いて品位が低下するという問題があるが、前記特許文献４の表示装置も、類似の嵌合爪と嵌合孔を形成してフロントキャビネットとリアキャビネットを接合するものであるので、同様の不都合があり、上記問題の解決には役立たない。また、フックを突起に掛止させて前面カバーと内部シャーシを接合する前記特許文献５の表示装置も、同様に上記問題の解決には役立たない。そして、前記特許文献３の表示装置は、液晶板の背面側に設けた内側補強金具の上下の折曲部を樹脂パネルの上下のリブに圧接させて樹脂パネルに嵌め込んだものであるから、内側補強金具から樹脂パネルから外れる虞れがあり、また、前記特許文献１の液晶モジュールは、ベース板の左右両側端に配設したインバータ基板を一対の樹脂よりなる保護カバーで覆ったものであるから、上記問題の解決には何の役にも立たない。
【００１１】
これに対し、前記特許文献２の薄型表示装置は、四隅以外の辺におけるフロントキャビネットとリアキャビネットの密閉性を高めるため、表示パネルとフロントキャビネットを固定する断面コ字形の固定部材に表示パネルの端辺を嵌合し、リアキャビネットを固定部材にネジ止めしてフロントキャビネットの背面側に固定するものであるから、上記問題を解決するのに一応、参考となるものである。けれども、断面コ字形の固定部材をフロントキャビネットに固定する具体的な手段が不明であるため、この特許文献２の技術をそのまま適用して上記問題を解決することは難しく、更なる改変、改造が必要になる。
【００１２】
本発明は上記事情の下になされたもので、その解決しようとする課題は、内蔵される液晶表示モジュールの端縁部にフロントキャビネットを簡単かつ確実に固定できる手段を採用することによって、ビス止めすることなく、フロントキャビネットとリアキャビネットの接合部の開きを防止できるように改良した液晶テレビなどの表示装置を提供することにある。
【課題を解決するための手段】
【００１３】
上記課題を解決するため、本発明に係る表示装置は、フロントキャビネットとリアキャビネットで囲まれる内部空間に液晶表示モジュールを内蔵した表示装置であって、液晶表示モジュールの端縁部を背後から押える固定用板金に鉤形係合片を設ける一方、この鉤形係合片が係合する被係合片をフロントキャビネットの裏側に設け、鉤形係合片をフロントキャビネットの裏面と被係合片との空隙部にスライドさせて挿入することにより、鉤形係合片を被係合片に係合させて、フロントキャビネットを固定用板金を介して液晶表示モジュールに固定したことを特徴とするものである。
【００１４】
本発明の表示装置においては、固定用板金の鉤形係合片の略直角に屈曲する屈曲端部を、フロントキャビネットの裏面と被係合片との空隙部にスライドさせて挿入することにより、鉤形係合片を被係合片に係合させてもよい。 
この場合、フロントキャビネットの被係合片の先端には、後方に突き出す突片を形成することが好ましい。
【発明の効果】
【００１５】
本発明の表示装置は、固定用板金で液晶表示モジュールの端縁部を背後から押え、この固定用板金の鉤形係合片をフロントキャビネット裏側の被係合片に前方から係合させているため、フロントキャビネットが液晶表示モジュールに対して一定の位置関係を保って固定され、フロントキャビネットの端縁が前後方向に位置ずれや変形を生じることはない。従って、リアキャビネットを液晶表示モジュールの四隅や他の箇所にネジ止めして、フロントキャビネットとリアキャビネットの端縁同士を接合すると、接合部の開きが防止されて良好な外観を呈し、品位を保つことができる。
【００１６】
固定用板金の鉤形係合片とフロントキャビネット裏側の被係合片との係合は、前記のように、鉤形係合片をスライドさせて係合しても、回転させて係合してもよく、いずれの場合も簡単かつ確実に係合できるので、組立作業が容易である。
【００１７】
特に、フロントキャビネットの被係合片の先端に、後方に突き出す突片が形成されていると、該突片が被係合片を補強する役目を果たすことに加えて、固定用板金の鉤形係合片をスライドさせて係合させるときには、該突片がガイド片の役目を果たすため係合が容易になり、また、固定用板金の鉤形係合片を回転させて係合させるときには、鉤形係合片が被係合片に乗り上げるのを阻止し、乗り上げると固定用板金が該突片の高さ分だけ浮き上がって作業者に知らせる役目を果たすため、鉤形係合片と被係合片が係合しない状態で誤って組立作業が行われるのを確実に防止できる利点がある。
【図面の簡単な説明】
【００１８】
【図１】本発明の表示装置の代表例である液晶テレビの正面図である。
【図２】図１のＡ−Ａ線概略断面図である。
【図３】固定用板金とフロントキャビネットの部分斜視図であって、固定用板金の鉤形係合部とフロントキャビネットの被係合部との係合の仕方を説明するものである。
【図４】固定用板金の側面図である。
【図５】リアキャビネットを省略した表示装置（液晶テレビ）の背面図であって、（ａ）は固定用板金の鉤形係合部をフロントキャビネットの被係合部に係合させる前の状態を示すものであり、（ｂ）は係合させた後の状態を示すものである。
【図６】固定用板金の他の例を示す部分斜視部である。
【図７】固定用板金の鉤形係合部の係合の仕方についての説明図であって、（ａ）は鉤形係合部をフロントキャビネットの被係合部に係合させる前の状態を示すものであり、（ｂ）は係合させた後の状態を示すものである。
【発明を実施するための形態】
【００１９】
以下、図面に基づいて、本発明に係る表示装置の実施形態を詳細に説明する。
【００２０】
図１は本発明の表示装置の代表例である液晶テレビの正面図、図２は図１のＡ−Ａ線概略断面図、図３は固定用板金とフロントキャビネットの部分斜視図であって鉤形係合部と被係合部との係合の仕方を説明するもの、図４は固定用板金の側面図、図５はリアキャビネットを省略した表示装置（液晶テレビ）の背面図であって、（ａ）は固定用板金の鉤形係合部をフロントキャビネットの被係合部に係合させる前の状態を、（ｂ）は係合させた後の状態を示すものである。
【００２１】
本実施形態は、表示装置の代表例である液晶テレビに係るものであって、図１，図２に示すように、この液晶テレビは、長方形の枠状のフロントキャビネット１と長方形の箱型のリアキャビネット２とで囲まれる内部空間に、液晶表示モジュール３が内蔵されたものであり、フロントキャビネット１は近年の狭額縁化の流れに沿って、四周の額縁部分の幅を狭小化したデザインとされている。
【００２２】
液晶表示モジュール３は、板金製のリアフレームの内部にバックライトユニットを設け、このバックライトユニットの前面側に光拡散シートやプリズムシートなどの光学シートを配置し、更にその前面側に液晶表示パネルを配置して、四周をベゼルで囲繞したものであり、液晶表示パネルには、ソースドライバＩＣチップを搭載したチップオンフィルムを介してＸ−基板が接続されると共に、ゲートドライバＩＣチップを搭載したチップオンフィルムを介してＹ−基板が接続されている。この液晶表示モジュール３は、図１に示すように、液晶表示パネル３ａをフロントキャビネット１の前面開口部に臨ませて、フロントキャビネット１とリアキャビネット２で囲まれる内部空間に設置されている。
【００２３】
この液晶表示モジュール３のリアフレームの内部に設けられるバックライトユニットは、帯状基板に光源として多数のＬＥＤを搭載したＬＥＤバーを導光板の側面に沿って設けた所謂エッジライト方式のバックライトユニットでもよいし、光源しとて冷陰極線管をリアフレームの内部に配置した所謂直下ライト方式のバックライトユニットでもよいが、液晶テレビの薄型化を図る観点からは、直下ライト方式のバックライトユニットよりも、エッジライト方式のバックライトユニットの方が有利である。
【００２４】
なお、図示はしていないが、この液晶表示モジュール３の背面（リアフレームの背面）には、チューナーや他の電子部品を実装したメイン配線基板が取付けられ、このメイン配線基板から前記Ｘ−基板及びＹ−基板と、チップオンフィルムのソースドライバＩＣ及びゲートドライバＩＣを通じて送られる信号によって、液晶表示パネル３ａに画像が表示されるようになっている。
【００２５】
液晶表示モジュール３の左右の端縁部は、図２，図５（ｂ）に示すように、細長い固定用板金４，４によって背後から押えられており、それぞれの固定用板金４の鉤形係合片４ａをフロントキャビネット１の被係合片１ａに前方から係合させることによって、液晶表示モジュール３とフロントキャビネット１が固定用板金４を介して離反不能に固定されている。
【００２６】
即ち、この固定用板金４は、図３，図４に示すように、細長い板金を打抜いて曲げ加工することにより、片側に鉤形係合片４ａを一定の間隔をあけて複数（この実施例では３つ）形成したもので、この鉤形係合片４ａは、固定用板金４の側端からフロントキャビネット１の方（前方）に向かって直角に折れ曲がる脚片部４ｂと、この脚片部４ｂの先端からフロントキャビネット１の被係合片１ａ側（外側）に向かって直角に屈曲する屈曲端部４ｃを備えている。
【００２７】
この固定用板金４は、図３，図５（ａ）に示す矢印Ｘ方向にスライドさせることによって、図２に示すように、鉤形係合片４ａの屈曲端部４ｃをフロントキャビネット１の裏面と被係合片１ａとの空隙部に挿入し、屈曲端部４ｃを被係合片１ａに前方から係合させて、フロントキャビネット１の裏面に固定するものであって、図３，図４に示すように、各鉤形係合片４ａの脚片部４ｂのスライド方向Ｘ側の端部には、斜め内側へ突き出すガイド片４ｄが形成されている。そして、屈曲端部４ｃもスライド方向Ｘ側に延設され、この延設端部４ｅがフロントキャビネット１の裏面側に僅かに傾斜している。従って、鉤形係合片４ａの屈曲端部４ｃをフロントキャビネット１の裏面に当接して固定用板金４を矢印Ｘ方向にスライドさせると、ガイド片４ｄによって鉤形係合片４ａの脚片部４ｂがフロントキャビネット１の被係合片１ａの内側へ案内され、屈曲端部４ｃの僅かに傾斜した延設端部４ｅが被係合片１ａとフロントキャビネット１裏面との空隙部にもぐり込んで、屈曲端部４ｃが該空隙部にスムーズに挿入されるようになっている。
【００２８】
フロントキャビネット１の被係合片１ａは、固定用板金４の鉤形係合片４ａに対応してフロントキャビネット１の側壁１ｂの内面沿いに複数形成されており、各被係合片１ａの内側先端には、後方（固定用板金４の方）に突き出す突片１ｃが形成されている。この突片１ｃは、被係合片１ａを補強する役目を果たすと同時に、固定用板金４の鉤形係合片４ａをスライドさせて被係合片１ａに係合させるときにガイド片としての役目も果たすものであるため、スライド及び係合作業を容易に行えるという利点がある。
【００２９】
本実施形態の液晶テレビは、図５（ａ）に示すように、固定用板金４，４の各鉤形係合片４ａの屈曲端部４ｃとフロントキャビネット１の各被固定片１ａの位置をずらせた状態で、固定用板金４，４を液晶表示モジュール３の左右の端縁部に背後から重ね、矢印Ｘ方向に固定用板金４，４をスライドさせることにより、図５（ｂ），図２に示すように、各鉤形係合片４ａの屈曲端部４ｃを被係合片１ａに前方から（フロントキャビネット側から）係合させているため、フロントキャビネット１が液晶表示モジュール３に対して一定の位置関係を保って固定されており、フロントキャビネット１の側壁１ｂが前後方向に位置ずれや変形を生じることはない。そして、フロントキャビネット１の下端縁は、図５に示すように下端縁に形成したフック部１ｄを、液晶表示モジュール３の下壁の膨出部分３ｂに形成した孔に掛止させることによって固定している。なお、固定用板金４は、必要に応じて液晶表示モジュール３にネジ止めしてもよい。
【００３０】
一方、リアキャビネット２は、液晶表示モジュール３の四隅や他の箇所にネジ止めされ、図２に示すように、リアキャビネット２の左右の側壁２ａ，２ａとフロントキャビネット１の左右の側壁１ｂ，１ｂが、突き合わせ部分で重なった状態で接合されており、リアキャビネット２の下壁とフロントキャビネット１の化壁も、突き合わせた部分で重なった状態で接合されている。そして、リアキャビネット２の上壁とフロントキャビネット１の上壁は、突き合わせ部分で重なった状態で接合されると共に、フック部（不図示）で結合されている。
【００３１】
本実施形態の液晶テレビは、上記のように、液晶表示モジュール３の左右の端縁部を背後から押える細長い固定用板金４，４の鉤形係合片４ａを、フロントキャビネット１の左右の裏側に設けた被係合片に前方から係合させて、フロントキャビネット１を固定用板金４を介して液晶表示モジュール３に固定することより、フロントキャビネット１の左右の側壁１ｂ，１ｂが前後方向に位置ずれや変形を生じないようにしたため、フロントキャビネット１とリアキャビネット２の左右の側壁１ａ，２ａ同士の接合部の開きが防止される。そして、上記のようにフロントキャビネット１の左右の側壁１ｂ，１ｂが前後方向に位置ずれや変形を生じなくなると、フロントキャビネット１の上壁や下壁も前後方向に位置ずれや変形が生じ難くなるため、全体としてフロントキャビネット１とリアキャビネット２の接合部の開きが防止されて良好な外観を呈し、品位を保つことができる。また、固定用板金４によるフロントキャビネット１と液晶表示モジュール３の固定作業は、固定用板金４をスライドさせて簡単かつ確実に行うことができ、面倒なネジ止め作業が不要となるので、組立作業性も向上する。
【００３２】
図６は固定用板金の他の例を示す部分斜視部、図７はその固定用板金の鉤形係合部の係合の仕方についての説明図である。
【００３３】
図６に示す固定用板金４０は細長い板金を打抜いて曲げ加工することにより、片側に鉤形係合片４０ａを一定の間隔をあけて複数形成したものであって、この鉤形係合片４０ａは、固定用板金４０の側端からフロントキャビネット１の方（前方）に向かって直角に折れ曲がる脚片部４０ｂと、この脚片部４ｂの先端からフロントキャビネット１の被係合片１ａ側（外側）に向かって直角に屈曲する屈曲端部４０ｃからなり、前述したガイド片４ｄや延設端部４ｅは存在しない。
【００３４】
この固定用板金４０を用いてフロントキャビネット１を液晶表示モジュール３に固定する場合は、図７（ａ）に示すように、鉤形係合片４０ａの屈曲端部４０ｃをフロントキャビネット１の被係合片１ａに引掛けて固定用板金４０を回動させ、図７（ｂ）に示すように、固定用板金４０で液晶表示モジュール３の端縁部を背後から押えると同時に、鉤形係合片４０ａの屈曲端部４０ｃをフロントキャビネット１の裏面と被係合片１ａとの空隙部に挿入して、屈曲端部４０ｃを被係合片１ａに前方から係合させればよい。
【００３５】
その場合、被係合片１ａの内側先端に、後方に突き出す前記突片１ｃが形成されていると、固定用板金４０を回動させるときに鉤形係合片４０ａが被係合片１ａに乗り上げるのを阻止し、乗り上げると固定用板金４０が該突片１ｃの高さ分だけ浮き上がって作業者に知らせる役目を果たすため、鉤形係合片４０ａと被係合片１ａが係合しない状態で誤って組立作業が行われるのを確実に防止することができる。
【００３６】
以上、代表的な実施形態を挙げて本発明の表示装置を説明したが、本発明はこれらの実施形態のみに限定されるものではなく、例えば、液晶表示モジュールの四周の端縁や三方の端縁を固定用板金４又は４０でフロントキャビネット１に固定するなど、種々の設計的変更を許容し得るものである。
【符号の説明】
【００３７】
１    フロントキャビネット
１ａ  被係合片
１ｃ  突片
２    リアキャビネット
３    液晶表示モジュール
４，４０  固定用板金
４ａ，４０ａ  鉤形係合片
４ｃ，４０ｃ  屈曲端部
【図１】
0005447449.tif 000002
【図２】
0005447449.tif 000003
【図３】
0005447449.tif 000004
【図４】
0005447449.tif 000005
【図５】
0005447449.tif 000006
【図６】
0005447449.tif 000007
【図７】
0005447449.tif 000008